(57)【要約】      （修正有）【課題】衣服を吊り下げた時に両側の肩部にしわが発生する問題を克服し、さらに衣服の内部に自然に立体な空間の模様を形成し、空気の対流が容易に発生し、衣服の干す時間を短縮させるハンガー装置を提供する。【解決手段】ハンガー装置１０は、複数の支持部材１１が互いに連接されることで囲まれてなり、対応する任意の二つの支持部材の間に連接ロッド１２が設けられる掛け本体１と、連接ロッドに設置され、球状槽が設けられ、さらに欠け槽４が球状槽に連接される枢接部材２と、装着部３１とフック部３２とロッド部３３とを含み、装着部と球状槽との軸支によりロッド部が回動して部分的に欠け槽に係合するフック３とを有し、支持部材が互いに組み合わされて一体形状になる際に、立体構造体を形成する。【選択図】図１
0003201448.tif 000002
【実用新案登録請求の範囲】
【請求項１】
複数の支持部材が互いに連接されることで囲まれてなり、対応する任意の二つの支持部材の間に連接ロッドが設けられ、各支持部材および連接ロッドにはさらに複数の差込部が設けられる掛け本体と、
連接ロッドに設置され、球状槽が設けられ、さらに欠け槽が球状槽に連接される枢接部材と、
装着部とフック部とロッド部とを含み、ロッド部の両端がそれぞれ装着部及びフック部に連接され、該装着部が球状槽のうちに軸支され、装着部と球状槽との軸支により該ロッド部が回動して部分的に欠け槽に係合するフックとを有し、
該フックが枢接部材に対し枢動し、該掛け本体がフックに対し水平姿勢又は直立姿勢に変換することを特徴とするハンガー装置。
【請求項２】
該フック部の一端に二つの軸部が設けられ、該ロッド部の一端に突片が設けられ、さらに枢軸で二つの軸部及び突片を挿設し、該フック部がロッド部に対し枢動することを特徴とする請求項１に記載のハンガー装置。
【請求項３】
該フックがさらに連接部を有し、該連接部の一端がフック部に軸支され、他の一端がロッド部に軸支され、該連接部がロッド部及びフック部に対し枢動することを特徴とする請求項１に記載のハンガー装置。
【請求項４】
該フックが他の一組のハンガー装置にある差込部へ掛けることを特徴とする請求項１に記載のハンガー装置。
【考案の詳細な説明】
【技術分野】
【０００１】
本考案は、ハンガー装置に関し、特に衣服の吊り下げに適用するハンガーに関する。
【背景技術】
【０００２】
普通の伝統のハンガーは、だいぶ折り曲げた金属製ワイヤで一体成型され、そのフック部と三角形状の支持部を具有させ、使用の際に、ハンガーの支持部に衣服をハンガーの支持部に挿入する又は掛け、衣服をハンガーの上方に固定させ、フック部により衣服を屋外の風通しの良い場所に干し、該ハンガーが板状であるため、ハンガーの上方に掛ける衣服の前側、後ろ側が水分によって互いに貼り合わせ、拡げて衣服の内部に空気を流通させることができず、衣服の干し時間を増加するだけでなく衣服の両側の肩部には衣服自体の未乾燥の水分で衣服の重量を高め、干しの過程に、衣服の両側の肩部にしわの発生が容易であるため、別にアイロンがけの手続きをする必要がよくある。上記の状況を改善するために、市場上に衣服を拡げられるハンガーを発売し、該ハンガーが衣服の干しの通風を改善できるが、折り合わせて収容することができず、多くの空間を占めることになった。
【０００３】
ハンガーを利用して衣服を干すことは家庭で必須のものであり、従来のよくあるハンガーは、鉄線を折り曲げて成形されたものやゴムの射出成形のものなどのいろいろな形式がある。鉄線を折り曲げて成形されたハンガーの欠点は、鉄線を包むゴム層が容易に破損されるので、鉄線の錆びが衣服に付着したことがよく発生される。ゴムの射出成形のハンガーは、鉄線の錆びに関する欠点を有しないが、射出成形された後に一定のサイズになるので組み立てて拡張することができず、また毎のハンガーに２つのピンチを備えても不十分であるので、使用者は数が多いハンガーを準備する必要があり、コストの上昇や保存に点数の多いハンガーでの乱れが発生され、ピンチも容易に他のハンガーと互いに干渉される、使用に不便である困りがあり、さらに、射出成形のハンガーは強さに限界があり、容易に折られて損傷され、いずれも従来の射出成形のハンガーが不足を有している欠点である。
【先行技術文献】
【特許文献】
【０００４】
【特許文献１】特開平８−１６４０５４号公報
【考案の概要】
【考案が解決しようとする課題】
【０００５】
本考案の主な目的は、ハンガーが有する支持部材が、互いに組み合わせて一体形状になる際に、立体構造体を形成することで、衣服を吊り下げる時、従来のハンガーが衣服を吊り下げられた時に両側の肩部にしわが発生される問題を克服し、さらに衣服の内部に自然に立体な空間の模様を形成し、空気の流通が速まり、対流が容易に発生し、衣服が自然に干す時間を短縮させるハンガー装置を提供することにある。
【０００６】
本考案の第二の目的は、異なる形態を変化する方式で使用者に衣服を掛けると吊り下げる際の多重選択性を提供することにあり、収容の時に、形態を変化して体積を減らして収容に便利である。
【０００７】
本考案の他の目的は、水平の状態では、フックのフック部、ロッド部、および連接部が互いに枢動されることで、別の形態に変化でき、使用者も本考案を棚として使用され、本又はタブレットＰＣなどの用品の放置を提供することにあり、本考案はかなり便利性と機能性を具有させる。
【課題を解決するための手段】
【０００８】
上記の目的を達成するために、本考案のハンガー装置は、複数の支持部材が互いに連接されることで囲まれてなり、対応する任意の二つの支持部材の間に連接ロッドが設けられ、各支持部材および連接ロッドにはさらに複数の差込部が設けられる掛け本体と、連接ロッドに設置され、球状槽が設けられ、さらに欠け槽が球状槽に連接される枢接部材と、装着部とフック部とロッド部とを含み、ロッド部の両端がそれぞれ装着部及びフック部に連接され、該装着部が球状槽のうちに軸支され、装着部と球状槽との軸支により該ロッド部が回動して部分的に欠け槽に係合するフックとを有し、該フックが枢接部材に対し枢動し、該掛け本体がフックに対し水平姿勢又は直立姿勢に変換する。
【０００９】
本考案は、該フック部の一端に二つの軸部が設けられ、該ロッド部の一端に突片が設けられ、さらに枢軸で二つの軸部及び突片を挿設し、該フック部がロッド部に対し枢動することをさらに特徴とする。
【００１０】
本考案は、該フックがさらに連接部を有し、該連接部の一端がフック部に軸支され、他の一端がロッド部に軸支され、該連接部がロッド部及びフック部に対し枢動することをさらに特徴とする。
【００１１】
本考案は、該フックが他の一組のハンガー装置にある差込部へ掛けることをさらに特徴とする。
【図面の簡単な説明】
【００１２】
【図１】本考案の組立状態を示す斜面図である。
【図２】本考案を示す分解斜面図である。
【図３】本考案の直立姿勢の状態を示す図である。
【図４】本考案の使用状態を示す図である。
【図５】本考案の装着部が球状槽に軸支される状態を示す断面図である。
【図６】他の一組のハンガー装置が本考案に掛ける水平姿勢の状態を示す図である。
【図７】他の一組のハンガー装置が本考案に掛ける直立姿勢の状態を示す図である。
【図８】本考案の第二実施例を示す斜面図である。
【図９】本考案の第二実施例の使用状態を示す図である。
【図１０】本考案の第二実施例の他の使用状態を示す図である。
【図１１】本考案の第三実施例を示す斜面図である。
【図１２】本考案の第三実施例の使用状態を示す図である。
【考案を実施するための形態】
【実施例】
【００１３】
本考案が達成できる上記の目的及び効果を明確に説明するように、図面を参照しながら、本考案の実施例の特徴と効果を詳細に説明する。図１〜図７を参照し、本考案のハンガー装置は、複数の支持部材１１が互いに連接されることで囲まれてなり、対応する任意の二つの支持部材１１の間に連接ロッド１２が設けられ、各支持部材１１および連接ロッド１２にはさらに複数の差込部１１１，１２１が設けられる掛け本体１と、連接ロッド１２に設置され、球状槽２１が設けられ、さらに欠け槽４が球状槽２１に連接される枢接部材２と、装着部３１とフック部３２とロッド部３３とを含み、ロッド部３３の両端がそれぞれ装着部３１及びフック部３２に連接されるフック３とを有し、該装着部３１が球状槽２１のうちに軸支され、装着部３１と球状槽２１との軸支により該ロッド部３３が回動して部分的に欠け槽４に係合し、該フック３が枢接部材２に対し枢動し、該掛け本体１がフック３に対し水平姿勢又は直立姿勢に変換する。
【００１４】
上記の構成によると、図１を参照し、掛け本体１はほとんど直方体を呈し、該掛け本体１の各角が円弧形状を形成し、また該掛け本体１は複数の支持部材１１が互いに連接されることで囲まれてなり、各支持部材１１の間の中心位置に連接ロッド１２が設けられ、各支持部材１１および連接ロッド１２にはさらに複数の差込部１１１，１２１が設けられ、該枢接部材２は連接ロッド１２に設置され、且つ該枢接部材２は連接ロッド１２の中間位置に位置され、該枢接部材２に球状槽２１が設けられ、さらに欠け槽４が球状槽２１に連接され、該球状槽が欠け槽の中心位置に位置され、該欠け槽が小径部４１と大径部４２を有し、該フック３は装着部３１とフック部３２とロッド部３３とを含み、該ロッド部３３の両端がそれぞれ装着部３１及びフック部３２に連接され、該装着部３１が球状槽２１に対しほとんど球状体とし、該フック３のフック部３２によって本考案をハンガー吊り下げ用のロッドに吊り下げられ、該装着部３１が球状槽２１のうちに軸支され、球状槽２１のうちにも軸動される。
【００１５】
なお、図１〜図３を参照し、該ロッド部３３は装着部３１と球状槽２１との軸支により回動して部分的に欠け槽４に係合し、該フック３は欠け槽４が設置される方向へ回動して位置を移動する時、該ロッド部３３が装着部３１の軸支を介して球状槽２１のうちに軸支され、回動して欠け槽４４に位置し、該ロッド部３３がまず小径部４１を通過して大径部４２に係合し、フック３が元の掛け本体１に対する水平姿勢から、回動させて直立姿勢に変換し、この変化により使用者に吊り下げられる衣服の数目を向上することを提供する。
【００１６】
さらに、フック３は枢接部材２に対し枢動する時には、該掛け本体１がフック3に対し水平姿勢又は直立姿勢に変換できるように、該掛け本体１は元の単一の衣服を吊り下げる水平姿勢から、回動させて直立姿勢に変換し（図３に示すように）、この変化により使用者に吊り下げられる衣服の数目を向上することが提供され、また、該連接ロッド１２が両側にある支持部材１１の中心位置に設けられるため、該掛け本体１が構成にもっと安定させることに加え、本考案が衣服を吊り下げる時に左右の両側の非対称のために一側へ傾斜することをさせず、衣服の重量も各支持部材１１が衣服を拡げて支持する位置に平均的に分散されるため、従来のハンガーが衣服を吊り下げられた時に両側の肩部にしわが発生される問題を克服し、さらに衣服の内部に自然に立体な空間の模様を形成し、空気の流通が速まり、対流が容易に発生する特点を有し、衣服が自然に干す時間を短縮させ（図４に示すように）、本考案が元の単一の衣服を吊り下げる状態から数多い衣服を吊り下げられる状態に変換する。
【００１７】
上記の説明に続き、さらに図１〜図３を参照し、使用者が衣服を本考案に掛ける時に、各支持部材１１の周側にある差込部１１１が衣服を拡げ、その内部に立体な空間を形成し、空気の流通が速まり、対流が容易に発生する特点を有し、衣服が自然に干す時間を短縮させ、さらに複数のクリップ組（図示せず）が各差込部１１１，１２１に装着されることで、各クリップの装着によって使用者に方式で体積が小さい衣服、例え、靴下、タオル、ハンカチ、下着などを挟持することが提供され、且つ普通のフックによって各クリップと各差込部１１１，１２１との組み合わせができ（クリップと差込部１１１，１２１との組み合わせがフックに限定されるものではない）。さらに、各差込部１１１，１２１の機能は、上記のクリップの装着を提供する他に、普通のピンチの設置（図示せず）も提供し、ここにクリップに限定されるものではなく、全く使用者がすぐさま必要な使用によって操作して使用することができる。これによって、本考案の目的と効果を達成でき、実用性が高い考案とすることができる。
【００１８】
図６と図７を参照し、該フック３はもう一組のハンガー装置１０の差込部１１１，１２１に掛けられ、使用者が必要によってもう一組のハンガー装置１０を増加して元のハンガー装置１０の差込部１１１，１２１に掛けることをさせ、また使用者がハンガー装置１０を水平姿勢又は直立姿勢で装着し、ハンガーがハンガー吊り下げ用のロッドに掛ける空間を節約することが達成できる。
【００１９】
図８と図９を参照し、使用者が衣服を本考案に掛ける時に、各支持部材１１のの周側にある差込部１１１が衣服を拡げ、その内部に立体な空間を形成し、空気の流通が速まり、対流が容易に発生する特点を有し、衣服が自然に干す時間を短縮させる。
【００２０】
図８を参照し、該フック部３２の一端に二つの軸部３２１が設けられ、該ロッド部３３の一端に突片３３１が設けられ、さらに枢軸５で二つの軸部３２１及び突片３３１を挿設し、該フック部３２がロッド部３３に対し枢動させる。本考案は枢接部材に対し装着部が回動して直立姿勢になる時に、フック部３２とロッド部３３との軸支によって、フック３２のフック部３２を元にロッド部３３と同じに掛け本体１に位置する側から軸動して掛け本体１の他の一側に回動させ、本考案をほとんど逆Ｖ字状を形成させるため、使用者も本考案を棚として使用され、本又はタブレットＰＣなどの用品の放置を提供することにあり（図１０に示すように）、本考案はかなり便利性と機能性を具有させる。
【００２１】
図１１を参照し、該フック３がさらに連接部３４を有し、該連接部３４の一端がフック部３２に軸支され、他の一端がロッド部３３に軸支され、該連接部３４がフック部３２及びロッド部３３に対し枢動する。本考案は枢接部材２に対し装着部３１が回動して直立姿勢になる時に、フック３の連接部３４とフック部３２及びロッド部３３との軸支によって、フック３２が三段式で回動させることで、フック３２のフック部３２を元にロッド部３３及び連接部３４と同じに掛け本体１に位置する側から軸動して掛け本体１の他の一側に回動させるため、使用者も本考案を棚として使用され、本又はタブレットＰＣなどの用品の放置を提供することにあり（図１２に示すように）、本考案はかなり便利性と機能性を具有させる。
【００２２】
上記のハンガー装置１０に係る説明により、本考案は使用の時に従来のハンガーより経済的であり、もっと実用性を具有するため、本考案はかなりの実用性を達成でき、産業での利用価値を具有し、審査官がもっと本考案が達成できる効果と価値性を了解させるように、上記の説明に対しさらに詳述する。
【００２３】
本考案が使用される時に、掛け本体１はほとんど直方体を呈し、且つ掛け本体１の各角が円弧形状を形成し、該掛け本体１が有する支持部材１１が互いに連接されて一体形状になる際に、立体構造体を形成することで、衣服を吊り下げる時、従来のハンガーが衣服を吊り下げられた時に両側の肩部にしわが発生される問題を克服し、さらに衣服の内部に自然に立体な空間の模様を形成し、空気の流通が速まり、対流が容易に発生し、衣服が自然に干す時間を短縮させる。
【００２４】
本考案は、衣服を掛け本体１に掛ける他に、クリップを各支持部材１１及び連接ロッド１２の底面にある差込部１１１，１２１に装着することにより、靴下、タオル、ハンカチ、下着などの小さい衣服を挟持して固定することができるハンガーを提供する
【００２５】
本考案は、もう一組のハンガー装置１０を使用して互いに組み合わせ、水平姿勢と直立姿勢の２種の形態で組み合わせることができ、使用者が多種の方式を選択する可能であり、本考案が衣服を吊り下げられる位置を向上する他に、元に多量のハンガーがハンガー吊り下げ用のロッドに掛ける空間を減少し、節約することが達成できる。収容の時に、フック３のロッド部３３が欠け槽４が設置される方向へ回動して直立姿勢になることにより、使用者の収容に便利であり、空間を占めることはしない。
【００２６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２７】
１０……ハンガー装置
１……掛け本体
１１……支持部材
１１１……差込部
１２……連接ロッド
１２１……差込部
２……枢接部材
２１……球状槽
３……フック
３１……装着部
３２……フック部
３２１……軸部
３３……ロッド部
３３１……突片
３４……連接部
４……欠け槽
４１……小径部
４２……大径部
５……枢軸
【図１】
0003201448.tif 000003
【図２】
0003201448.tif 000004
【図３】
0003201448.tif 000005
【図４】
0003201448.tif 000006
【図５】
0003201448.tif 000007
【図６】
0003201448.tif 000008
【図７】
0003201448.tif 000009
【図８】
0003201448.tif 000010
【図９】
0003201448.tif 000011
【図１０】
0003201448.tif 000012
【図１１】
0003201448.tif 000013
【図１２】
0003201448.tif 000014